(57)【要約】【課題】施工が容易で、土壌や樹木などの周囲の自然環境に悪影響を及ぼすことなく地盤表層の雑草の繁茂を確実に防止することができる、防草舗装剤、防草舗装方法及び防草舗装構造を提供する。【解決手段】酸化マグネシウムと、消石灰と、粉末ＥＶＡエマルジョンと、シラスバルーンと、を含む防草舗装剤と、真砂土・砂利・施工現場の既存土のうちの少なくとも１以上と、を混合して形成した防草用材料を施工現場の地盤上に散布して表層を形成し、この表層の表面の均しと転圧とを行った後、表層に散水し、散水後、所定時間養生して表層を硬化させることによって防草舗装構造を形成する。【選択図】なし【特許請求の範囲】
【請求項１】
酸化マグネシウムと、消石灰と、粉末ＥＶＡエマルジョンと、シラスバルーンと、を含む防草舗装剤。
【請求項２】
請求項１記載の防草舗装剤と、真砂土・砂利・施工現場の既存土のうちの少なくとも１以上と、を混合して防草用材料を形成する工程と、
前記防草用材料を施工現場の地盤上に散布して表層を形成する工程と、
前記表層の表面を均す工程と、
前記表層の表面を加圧する工程と、
加圧後の前記表層に散水する工程と、
散水後、所定時間養生して前記表層を硬化させる工程と、を含む防草舗装方法。
【請求項３】
請求項１記載の防草舗装剤と、真砂土・砂利・施工現場の既存土のうちの少なくとも１以上と、を含む防草用材料の硬化物が施工現場の地盤上の表層を構成する防草舗装構造。
【発明の詳細な説明】
【技術分野】
【０００１】
本発明は、公園、歩道、グランド、駐車場あるいは個人住宅の庭などに雑草が繁茂するのを防止するために使用される防草舗装剤、防草舗装方法及び防草舗装構造に関する。
【背景技術】
【０００２】
公園、歩道、グランドあるいは個人住宅の庭などに雑草が繁茂するのを防止する防草技術については、従来、様々な提案がなされているが、本発明に関連するものとして、例えば、特許文献１に記載された雑草防止舗装材などがある。
【先行技術文献】
【特許文献】
【０００３】
【特許文献１】特開２０１６−５３２８８号公報
【発明の概要】
【発明が解決しようとする課題】
【０００４】
雑草防止技術に求められる条件は、土壌や樹木などの周囲の自然環境に悪影響を及ぼすことなく地盤表層の雑草の繁茂を確実に防止することができること、施工が容易であること、施工コストが安価であることなどであるが、これらの条件を十分に満たす雑草防止技術は未だ見出されていないのが実状である。
【０００５】
そこで、本発明が解決しようとする課題は、施工が容易で、土壌や樹木などの周囲の自然環境に悪影響を及ぼすことなく地盤表層の雑草の繁茂を確実に防止することができる、防草舗装剤、防草舗装方法及び防草舗装構造を提供することにある。
【課題を解決するための手段】
【０００６】
本発明に係る防草舗装剤は、酸化マグネシウムと、消石灰と、粉末ＥＶＡエマルジョンと、シラスバルーンと、を含むことを特徴とする。
【０００７】
次に、本発明に係る防草舗装方法は、
前述した防草舗装剤と、真砂土・砂利・施工現場の既存土のうちの少なくとも１以上と、を混合して防草用材料を形成する工程と、
前記防草用材料を施工現場の地盤上に散布して表層を形成する工程と、
前記表層の表面を均す工程と、
前記表層の表面を加圧する工程と、
加圧後の前記表層に散水する工程と、
散水後、所定時間養生して前記表層を硬化させる工程と、を含むことを特徴とする。
【０００８】
次に、本発明に係る防草舗装構造は、前述した防草舗装剤と、真砂土・砂利・施工現場の既存土のうちの少なくとも１以上と、を含む防草用材料の硬化物が施工現場の地盤上の表層を構成することを特徴とする。
【発明の効果】
【０００９】
本発明により、施工が容易で、土壌や樹木などの周囲の自然環境に悪影響を及ぼすことなく地盤表層の雑草の繁茂を確実に防止することができる、防草舗装剤、防草舗装方法及び防草舗装構造を提供することができる。
【発明を実施するための形態】
【００１０】
以下、本発明の実施形態について説明する。本実施形態に係る防草舗装剤（８ｋｇ）に含まれる成分と、各成分の配合量は以下の通りであるが、これは一例であり、これらの数値に限定するものではない。ここで、ＥＶＡとは（Ｅthylene Ｖinyl Ａcetate Ｃopolymer）エチレンビニルアセテートコポリマーの略称で、エチレン酢酸ビニル共重合体からなる合成樹脂である。
酸化マグネシウム          ６．０４ｋｇ（７５．５重量％）
消石灰                    １．８２ｋｇ（２２．７５重量％）
粉末ＥＶＡエマルジョン    ０．１２ｋｇ（１．５重量％）
シラスバルーン            ０，０２ｋｇ（０．２５重量％）
【００１１】
なお、防草舗装剤の全体を１００重量％としたとき、各成分の配合量は、施工条件などに応じて、下記の範囲内で調整（変更）可能である。
酸化マグネシウム          ７０重量％〜９５重量％
消石灰                    １０重量％〜３０重量％
粉末ＥＶＡエマルジョン    ０．５重量％〜３０重量％
シラスバルーン            ０．０１重量％〜１．０重量％
【００１２】
次に、本実施形態に係る防草舗装方法について説明する。本実施形態に係る防草舗装方法においては前記防草舗装剤を使用する。施工現場においては、施工前に草刈りなどの除草を行い、真砂土・砂利・施工現場から採取した既存土のうちの少なくとも１以上を含む土砂（１５２ｋｇ）に対し、前記防草舗装剤（８ｋｇ）を添加し、十分に撹拌、混合して防草用材料（１６０ｋｇ）を形成する。撹拌作業は、ミキサーや撹拌機を使用することが望ましいが、地面上にて撹拌することも可能である。
【００１３】
次に、完成した防草用材料を施工現場の地盤上に散布して表層を形成する。前述した防草用材料（１６０ｋｇ）により、約２平方メートルの広さの地盤上に、約５０ｍｍの厚さの表層を形成することができるが、施工条件に応じて広さ、厚さは調整可能である。表層を形成する場合、トンボやスコップを用いて均すことができるが、足で踏み固めることも可能である。前記表層が十分に均されたら、慎重にレベル調整を行った後、転圧機を使用して前記表層の表面を加圧（転圧）する（粗転圧）。
【００１４】
粗転圧が終わったら、再度、レベル調整を行い、その後、転圧機を使用して前記表層の仕上げ転圧を行う。仕上げ転圧が完了したら、表層に散水する。散水量は表層の厚さに応じて決定するが、厚さが大であるほど、散水量を多くする必要がある。厳寒時期は水が凍結する可能性が高まるので、気温５℃以下の場合は施工を中止することが望ましい。
【００１５】
散水が完了したら、所定時間（施工後、約７２時間）養生して前記表層を硬化させると防草舗装構造が完成する。前記防草舗装構造においては、前記防草舗装剤と、真砂土・砂利・施工現場で採取した既存土のうちの少なくとも１以上と、を含む防草用材料の硬化物が施工現場の地盤上の表層を構成している。
【００１６】
本実施形態に係る防草舗装構造に含まれる防草舗装剤を構成する酸化マグネシウムは、前記表層中の土壌に含まれる植物の三大養分（チッソ、リン、カリウム）を不溶化する作用を有しており、これにより雑草の発芽が抑制されるため、地盤表層の雑草の繁茂を確実に防止することができる。
【００１７】
また、前記防草舗装剤はセメント系固化材を含んでいないので、前記防草舗装構造は土壌や樹木などの周囲の自然環境に悪影響を及ぼすことがなく、施工後は自然土に戻ることができる。また、前記防草舗装構造は保水性を有するので、降雨時などに含浸された水分が夏季の高温時などに蒸散することで、周囲の温度上昇や太陽光の照り返しを緩和する機能も発揮するので、ヒートアイランド現象の抑制にも有効である。
【００１８】
さらに、本実施形態に係る防草舗装補方法によれば、真砂土・砂利・施工現場から採取した既存土のうちの少なくとも１以上を含む土砂に、前記防草舗装剤を混合して形成した前記防草用材料を施工現場の地盤上に散布して表層を形成し、養生・硬化するだけで前記防草舗装構造を構築することができるので、施工も容易である。また、施工現場から採取した既存土を使用すれば施工コストを低減することができる。
【００１９】
なお、前述した防草舗装剤、防草舗装方法及び防草舗装構造は、本発明に係る防草舗装剤、防草舗装方法及び防草舗装構造の一例を示すものであり、本発明に係る防草舗装剤、防草舗装方法及び防草舗装構造は前述した実施形態に限定されない。
【産業上の利用可能性】
【００２０】
本発明に係る防草舗装剤、防草舗装方法及び防草舗装構造は、公園、歩道、グランド、駐車場あるいは個人住宅の庭などにおける雑草防止手段として、土木建設業などの産業分野において広く利用することができる。